(57)【特許請求の範囲】
【請求項１】
ネジ孔が設けられたネジ座を取付け板に取付けるためのネジ座取付け構造であって、
前記ネジ座は、
前記ネジ孔が形成されるとともに、前記取付け板の内面に当接する本体部と、
前記本体部から前記取付け板の内面に沿って延設された固定部と、
前記固定部における前記本体部に対する反対側の端部には前記第一の係止部の内面に係止されるとともに、前記取付け板の内面に沿って弾性変形可能に設けられた係止爪と、
を備え、
前記取付け板は、
前記ネジ孔と連通し、外面から内面に貫通するボルト挿通孔と、
前記固定部の少なくとも一部が露出するように形成され、前記ネジ座が挿脱可能な大きさに形成された開口部と、
前記固定部の内側から外側への移動を規制する第一の係止部と、
前記固定部の外側から内側への移動を規制し、前記開口部の前記ボルト挿通孔側の縁部に対して前記本体部を挿脱可能とする空間部を形成するように設けられた第二の係止部と
を備えることを特徴とするネジ座取付け構造。
【請求項２】
前記係止爪には、外側から内側に向かうにしたがって前記固定部側から前記本体部側に向かうように形成された傾斜面が設けられていることを特徴とする請求項１に記載のネジ座取付け構造。
【請求項３】
前記係止爪には、前記開口部の内周面に係止する内周面側係止部が設けられていることを特徴とする請求項１または２に記載のネジ座取付け構造。
【請求項４】
前記内周面側係止部は、前記取付け板の外面から外側に向けて突出していることを特徴とする請求項３に記載のネジ座取付け構造。
【請求項５】
前記ネジ座には、
前記取付け板に対して前記ネジ座を、前記固定部が前記第一の係止部に係止される部分の少なくとも前記取付け板の内面に沿う方向の長さ以上前記内面に沿う方向に移動可能とする退避部が設けられていることを特徴とする請求項１に記載のネジ座取付け構造。
【請求項６】
前記取付け板は、前記取付け板に沿うとともに前記本体部と前記固定部とを結ぶ方向に交差する方向に前記ネジ座が移動するのを規制する規制部をさらに備えることを特徴とする請求項１から５のいずれか一項に記載のネジ座取付け構造。
【請求項７】
前記ネジ座の本体部が、
ナット部材と、
前記ナット部材が嵌合可能な嵌合孔が形成されたネジ座本体と、
を有することを特徴とする請求項１から６のいずれか一項に記載のネジ座取付け構造。
【請求項８】
前記取付け板は金属板で形成され、
前記取付け板に前記開口部が形成されたときに、前記第二の係止部が前記取付け板の内面側に絞り加工することにより形成されたことを特徴とする請求項１から７のいずれか一項に記載のネジ座取付け構造。
【発明の詳細な説明】
【技術分野】
【０００１】
本発明は、取付け板にネジ座を取付けるためのネジ座取付け構造に関する。
【背景技術】
【０００２】
従来、取付け板にネジ座を取付け、このネジ座に形成されたネジ孔にボルトを介して部材を固定することで、取付け板にボルトを取付けることが行われている。
取付け板が木製の部材で形成されているときには、取付け板にねじ込み式ナット（鬼目ナット）を取付けることによりネジ孔を設けたネジ座取付け構造が一般的となっている。
また、取付け板が金属板で形成されているときには、取付け板にナットを溶着したり、取付け板に穿設された挿通孔の内面にネジ加工したりすることによってネジ孔を設けたネジ座取付け構造が一般的である。
これらのネジ座取付け構造によれば、取付け板にネジ孔を確実に設けることができ、これによって、ネジ孔に取付けられる部材を安定して支持することができるという。
【０００３】
しかし、上記の取付け板が金属板から形成されている場合のネジ座取付け構造では、溶着やネジ加工など、取付け板に対して手間のかかる加工を施さなければならず、取付け板上でネジ孔を設ける位置を変更したい場合や、ネジ孔に取付けられる部材が複数である場合においては、多大な加工工数および加工コストが必要になるという問題がある。
【０００４】
この問題を解決することができるネジ座取付け構造として、特許文献１に記載されたものが知られている。この構造は、机に用いられる側壁（取付け板）にネジ孔を有するナット部材（ネジ座）と段付ボルトを取付けるものであり、取付け板へのナット部材の着脱作業と、ネジ孔への段付ボルトの着脱作業を取付け板に対する一方側のみから行えるように構成されている。
具体的に説明すると、側壁には、側壁の内外を連通させるボルト挿通孔と、ナット部材挿通孔（開口部）が並設されている。ナット部材の先端部をナット部材挿通孔を通過させて側壁の内面側に挿入し、ネジ孔をボルト挿通孔に内側から合致させ得るように構成されている。そして、ナット部材の先端部を側壁の内面に当接するように保持して、段付ボルトをボルト挿通孔を通してネジ孔に螺着させる。
このように構成されたネジ座取付け構造によれば、ナットが予め固設されている従来のものに比べて部品点数を削減でき、さらにナットの溶接に要する工数を削減することができるという。
【先行技術文献】
【特許文献】
【０００５】
【特許文献１】特開平９−２５２８４８号公報
【発明の概要】
【発明が解決しようとする課題】
【０００６】
しかしながら、特許文献１に記載されたネジ座取付け構造は、ネジ孔に段付ボルトを取付けるときに位置ずれしてしまうので、作業者がナット部材を保持する必要があり、組立て時における施工性が悪いという問題がある。
【０００７】
本発明は、このような問題点に鑑みてなされたものであって、取付け板へネジ座の着脱を取付け板に対する一方側のみから行うことができ、取付け板にネジ座を取付けたときにネジ座が位置ずれするのを防止したネジ座取付け構造を提供することを目的とする。
【課題を解決するための手段】
【０００８】
上記課題を解決するために、この発明は以下の手段を提案している。
本発明のネジ座取付け構造は、ネジ孔が設けられたネジ座を取付け板に取付けるためのネジ座取付け構造であって、前記ネジ座は、前記ネジ孔が形成されるとともに、前記取付け板の内面に当接する本体部と、前記本体部から前記取付け板の内面に沿って延設された固定部と、前記固定部における前記本体部に対する反対側の端部には前記第一の係止部の内面に係止されるとともに、前記取付け板の内面に沿って弾性変形可能に設けられた係止爪と、を備え、前記取付け板は、前記ネジ孔と連通し、外面から内面に貫通するボルト挿通孔と、前記固定部の少なくとも一部が露出するように形成され、前記ネジ座が挿脱可能な大きさに形成された開口部と、前記固定部の内側から外側への移動を規制する第一の係止部と、前記固定部の外側から内側への移動を規制し、前記開口部の前記ボルト挿通孔側の縁部に対して前記本体部を挿脱可能とする空間部を形成するように設けられた第二の係止部とを備えることを特徴としている。
【０００９】
この発明によれば、ネジ座は、取付け板の内面に当接され、内側から外側への移動が規制されている一方、第二の係止部によって外側から内側への移動が規制されている。さらに、ネジ座は、取付け板の内面に当接されることで、開口部縁回り一方側への回転が規制されている一方、第一の係止部によって内側から外側への移動が規制されていることで、開口部縁回り他方側への回転が規制されている。このため、ネジ座の、取付け板の内面から離間する方向への移動、開口部縁回りの回転を規制することで、位置ずれすることなく安定してネジ座を取付け板に取付けることができる。
また、外側から開口部を通してネジ座にアクセスして内面に沿う方向に第一の係止部とネジ座との係止関係を解除してからネジ座を開口部縁回りに他方側へ回転させることで、本体部を第二の係止部と開口部縁との間から開口部を経由して外側に取外し、ネジ座を外側から容易に着脱することができる。
また、ネジ座の本体部を第二の係止部と開口部縁との間に挿入し、係止爪を本体部側に移動させた状態で、固定部を開口部縁回り一方側へ回転させて、係止爪を開口部の第一の係止部側の内周面に当接させる。ここから、係止爪の外側の端部が開口部の内周面の内側の端部に達するまで固定部を一方側へさらに回転させるだけで、係止爪の弾性力により係止爪が本体部から離間する方向に移動し、係止爪の外側の部分が第一の係止部の内面に当接する。
これにより、固定部を外側から内面に保持することができる。
【００１１】
また、上記のネジ座取付け構造において、前記係止爪には、外側から内側に向かうにしたがって前記固定部側から前記本体部側に向かうように形成された傾斜面が設けられていることがより好ましい。
この発明によれば、ネジ座の本体部を第二の係止部と開口部縁との間に挿入した後で、固定部を開口部縁回り一方側へ回転させ傾斜面を第一の係止部に当接させる。この状態で固定部を一方側へさらに回転させることで、第一の係止部から傾斜面に作用する力の分力により、係止爪を本体部側に移動させることができる。
【００１２】
また、上記のネジ座取付け構造において、前記係止爪には、前記開口部の内周面に係止する内周面側係止部が設けられていることがより好ましい。
この発明によれば、内周面側係止部が開口部の内周面に係止したときに、ネジ座が本体部に対する固定部側となる方向に移動するのを防止することができる。
【００１３】
また、上記のネジ座取付け構造において、内周面側係止部は、前記取付け板の外面から外側に向けて突出していることがより好ましい。
この発明によれば、取付け板の外面と内周面側係止部との間に指などをかけることにより、取付け板の内面に沿う方向に内周面側係止部を容易に移動させることができる。
【００１４】
また、上記のネジ座取付け構造において、前記ネジ座には、前記取付け板に対して前記ネジ座を、前記固定部が前記第一の係止部に係止される部分の少なくとも前記取付け板の内面に沿う方向の長さ以上前記内面に沿う方向に移動可能とする退避部が設けられていることがより好ましい。
この発明によれば、固定部が第一の係止部に係止される部分の少なくとも取付け板の内面に沿う方向の長さだけネジ座を取付け板に対して本体部と固定部とを結ぶ方向に移動させることで、固定部と第一の係止部とを係合させたり、係合を解除させたりすることができる。
【００１５】
また、上記のネジ座取付け構造において、前記取付け板は、前記取付け板に沿うとともに前記本体部と前記固定部とを結ぶ方向に交差する方向に前記ネジ座が移動するのを規制する規制部をさらに備えることがより好ましい。
この発明によれば、取付け板に対してネジ座を本体部と固定部とを結ぶ方向に安定して移動させることができる。
【００１６】
また、上記のネジ座取付け構造において、前記ネジ座の本体部が、ナット部材と、前記ナット部材が嵌合可能な嵌合孔が形成されたネジ座本体と、を有することがより好ましい。
この発明によれば、汎用品であるナット部材を用いてネジ座を構成することで、ネジ座を製造するのに要するコストを低減させることができる。
【００１７】
また、上記のネジ座取付け構造において、前記取付け板は金属板で形成され、前記取付け板に前記開口部が形成されたときに、前記第二の係止部が前記取付け板の内面側に絞り加工することにより形成されたことがより好ましい。
この発明によれば、取付け板に開口部および第二の係止部を形成するのに要する製造コストを低減させることができる。
【発明の効果】
【００１８】
本発明のネジ座取付け構造によれば、取付け板へネジ座の着脱を取付け板に対する一方のみから行うとともに、取付け板にネジ座を取付けたときにネジ座が位置ずれするのを防止することができる。
【図面の簡単な説明】
【００１９】
【図１】本発明の第１実施形態のネジ座取付け構造が用いられるデスク装置の斜視図である。
【図２】図１中の切断線Ａ１−Ａ１の断面図である。
【図３】同デスク装置のネジ座の斜視図である。
【図４】同ネジ座の一部を破断した側面図である。
【図５】同デスク装置の裏面板の斜視図である。
【図６】同デスク装置の裏面板にネジ座を取付ける工程を説明する断面図である。
【図７】同デスク装置の裏面板にネジ座を取付ける工程を説明する断面図である。
【図８】同デスク装置の移動部本体の斜視図である。
【図９】同デスク装置の移動部本体を構成する取付け材の斜視図である。
【図１０】同デスク装置の移動部本体を構成する化粧材受けの斜視図である。
【図１１】同デスク装置の化粧材を構成する正面板の斜視図である。
【図１２】同デスク装置の化粧材を構成するサイドカバーの斜視図である。
【図１３】同デスク装置の移動部本体に化粧材を取付ける工程を説明する断面図である。
【図１４】同デスク装置の移動部本体に化粧材を取付けた状態を示す斜視図である。
【図１５】同デスク装置で化粧材を退避位置に移動させたときの状態を説明する断面図である。
【図１６】本発明の第２実施形態のネジ座取付け構造が用いられるデスク装置の側面の要部断面図である。
【図１７】同デスク装置の裏面板の斜視図である。
【図１８】同デスク装置のネジ座の斜視図である。
【図１９】図１６中のＡ３部拡大図である。
【図２０】同デスク装置のネジ座の底面図である。
【図２１】同デスク装置の裏面板にネジ座を取付ける工程を説明する断面図である。
【図２２】同デスク装置の裏面板にネジ座を取付ける工程を説明する断面図である。
【発明を実施するための形態】
【００２０】
（第１実施形態）
以下、本発明に係るネジ座取付け構造の第１実施形態が用いられるデスク装置の実施形態を、図１から図１５を参照しながら説明する。
図１および図２に示すように、本実施形態のデスク装置１は、平面視で長方形形状に形成された板状の天板２と、天板２の使用者側となる前縁をなす長辺２ａに平行な左右方向Ｘの両端部に、間隔をおいて一対取付けられ、天板２を支持する側面視コ字状の脚体（支持体）３と、天板２の下面に設けられた引出し４と、引出し４の側方（左右方向Ｘ）に配設された化粧材（閉塞部）５と、化粧材５をスライド可能とする移動機構６とを備えている。
本実施形態では、左右方向Ｘに４つ並べられた引出し４のうち、両端部には左右方向Ｘの幅の狭い引出し４Ａが、中央部には左右方向Ｘの幅の広い引出し４Ｂが配置されている。中央部に並べられた２つの引出し４Ｂの間（側方）に一定の隙間が形成されていて、その隙間に化粧材５が配置されている。
【００２１】
図１に示すように、一対の脚体３間の後方Ｙ１側（天板２の短辺２ｂに平行な前後方向Ｙの使用者に対する反対側）には、幕板９が立設されている。幕板９の左右方向Ｘの両端部は、一対の脚体３にそれぞれ接続されている。脚体３の下面には、アジャスタ１０が取付けられ、アジャスタ１０が取付けられた位置での不図示の床面から脚体３の下面までの高さを調節することができる。これら天板２、一対の脚体３および幕板９は、一体となってデスク装置１を強固に構成している。
天板２の下面には、前後方向Ｙに延びる不図示の支持レールが取付けられている。引出し４は、支持レールに案内されることで、天板２の下部に収納された収納位置Ｐ１と天板２の縁部２ｃから突出する取出位置Ｐ２との間でスライド可能となっている。
【００２２】
図２に示すように、天板２は、上方に配置された表面板１３と、表面板１３と一定の間隔をおいて表面板１３の下方に配置された裏面板（取付け板）１４と、を有している。本実施形態では、表面板１３および裏面板１４は、水平面に対して平行になるように配置されている。
表面板１３および裏面板１４は、金属板により形成されている。表面板１３の端部は内側に折り返されてフランジ部１３ａが形成されている。裏面板１４は、上方に折り曲げられた自身の端部１４ａが表面板１３のフランジ部１３ａに固定されることにより、表面板１３に取付けられている。
表面板１３のフランジ部１３ａの側面には、樹脂製のサイドエッジ１５が装着されている。
なお、表面板１３と裏面板１４との固定方法は、上記の方法に限ることなく公知の様々な方法を用いることができる。また、以下では、説明の便宜のため、裏面板１４に対する上方を内側Ｄ１、下方を外側Ｄ２とする。
【００２３】
以下では、まず、裏面板１４に着脱可能に取付けられるネジ座１８について説明する。
図３および図４に示すように、ネジ座１８は、ネジ孔２１ａが形成されるとともに、裏面板１４の内面（内側Ｄ１の面）１４ｂ（図２参照）に当接する本体部１９と、本体部１９から裏面板１４の内面１４ｂに沿って前後方向Ｙに延設された固定部２０とを備えている。本実施形態における本体部１９と固定部２０とを結ぶ方向は、前後方向Ｙとなっている。
本体部１９は、ナット部材２１と、ナット部材２１が嵌合された嵌合孔２２が下部に形成されたネジ座本体２３とを有している。なお、前述のネジ孔２１ａはナット部材２１に形成されたものである。
ネジ座本体２３には、嵌合孔２２に連通する通し孔２３ａが形成されている。通し孔２３ａの内径は嵌合孔２２の内径よりも小さく設定され、嵌合孔２２と通し孔２３ａとが連通する部分には段部２３ｂが形成されている。
【００２４】
固定部２０における本体部１９に対する反対側の端部には、裏面板１４の内面１４ｂに沿って前後方向Ｙに弾性変形可能な係止爪２４が設けられている。係止爪２４には、外側Ｄ２から内側Ｄ１に向かうにしたがって固定部２０側から本体部１９側に向かうように形成された傾斜面２４ａが設けられている。係止爪２４には、裏面板１４の後述する開口部２９の内周面に係止する内周面側係止部２５が設けられている。
ネジ座本体２３、固定部２０、係止爪２４および内周面側係止部２５は、たとえば樹脂などで一体に成形されている。
裏面板１４にネジ座１８が取付けられた状態において、内周面側係止部２５は、裏面板１４の外面（外側Ｄ２の面）から外側Ｄ２に向けてわずかに突出するように設定されている。なお、内周面側係止部２５が裏面板１４の外面から突出する長さは、デスク装置１の仕様に応じて適宜設定することができる。
【００２５】
図２および図５に示すように、裏面板１４には、ネジ孔２１ａと連通し、外面から内面１４ｂに貫通するボルト挿通孔２８と、固定部２０の一部が下方に露出するように形成され、ネジ座１８が挿脱可能な大きさに形成された開口部２９と、開口部２９の内側Ｄ１に設けられるとともに両端部が開口部２９の縁部に接続された湾曲体３０とが設けられている。
ボルト挿通孔２８は、開口部２９に対して後方Ｙ１となるように配置されている。
ボルト挿通孔２８は、ネジ孔２１ａの内径にほぼ等しい円形に形成されている。
開口部２９はほぼ矩形形状に形成され、開口部２９の前後方向Ｙの長さは、湾曲体３０の前後方向Ｙの長さより長く設定されている。
開口部２９におけるボルト挿通孔２８に対する反対側の縁部が、ネジ座１８の係止爪２４の内側Ｄ１から外側Ｄ２への移動を規制する第一の係止部３１となっている。
【００２６】
湾曲体３０は、開口部２９の中央部の内側Ｄ１の位置に裏面板１４とほぼ平行に配置された第二の係止部３２と、第二の係止部３２の端部と開口部２９の縁部とを左右方向Ｘに接続し、ネジ座１８が左右方向Ｘに移動するのを規制する一対の規制部３３とを有している。
第二の係止部３２は、ネジ座１８の固定部２０の外側Ｄ２から内側Ｄ１への移動を規制し、開口部２９のボルト挿通孔２８側の縁部２９ａに対してネジ座１８の本体部１９を挿脱可能とする空間部を形成するように設けられている。
以上説明したボルト挿通孔２８、開口部２９および湾曲体３０は、たとえば、裏面板１４をプレス機により加工するときに一度に形成されている。より詳しくは、裏面板１４にボルト挿通孔２８および開口部２９を形成するときに、裏面板１４の内側Ｄ１に絞り加工することにより湾曲体３０が形成されている。
図２に示すように、これまで説明したネジ座１８、開口部２９、第一の係止部３１および湾曲体３０で、本実施形態のネジ座取付け構造３４を構成する。
【００２７】
ここで、以上のように構成した裏面板１４にネジ座１８を取付ける手順について説明する。
まず、図６に示すように、使用者は、裏面板１４の外側Ｄ２からネジ座１８を裏面板１４の開口部２９に近づけ、開口部２９の縁部２９ａと第二の係止部３２との間に形成された空間部にネジ座１８の本体部１９を挿入する。
そして、ネジ座１８の固定部２０を縁部２９ａ回りの一方側Ｅ１へ回転させることで、図７に示すように、傾斜面２４ａが第一の係止部３１に当接して係止爪２４が後方Ｙ１に移動する。さらに、固定部２０を一方側Ｅ１へ回転させると、図２に示すように、本体部１９が裏面板１４の内面１４ｂに当接すると同時に、固定部２０が第二の係止部３２に当接する。このとき、第一の係止部３１の内側Ｄ１の面により係止爪２４が係止され、内周面側係止部２５が開口部２９の内周面に係止される。
【００２８】
なお、裏面板１４からネジ座１８を取外すときには、使用者は、裏面板１４の外面から外側Ｄ２に突出した内周面側係止部２５を後方Ｙ１に移動させることで、係止爪２４と第一の係止部３１との係止を解除した状態で、固定部２０を縁部２９ａ回りに一方側Ｅ１とは反対となる他方側Ｅ２（図６参照）に回転させ、ネジ座１８を第二の係止部３２と開口部２９の縁部２９ａとの間から開口部２９を経て外側Ｄ２に引き抜く。
このように、ネジ座１８を裏面板１４に着脱可能に取付けることができる。
【００２９】
引き続いて、デスク装置１の説明を行う。
図２および図８に示すように、移動機構６は、上下方向に貫通するとともに前後方向Ｙに延びる長孔４２ａが形成された移動部本体３６と、長孔４２ａに挿通されて天板２の下面に設けられたネジ孔２１ａに取付けられ、長孔４２ａ内を前後方向Ｙに移動可能となるように移動部本体３６を支持する取付けネジ（支持部材）３７とを有する。本実施形態では、移動部本体３６は金属板により形成されている。
移動部本体３６は、図８に示すように、取付け材３８と化粧材受け３９とをスポット溶接などで互いに接続することにより構成されている。
図９に示すように、取付け材３８は、前後方向Ｙに直交するように配置された板状の垂下部４０と、垂下部４０の左右方向Ｘの両端部から後方Ｙ１に延びる一対の延設部４１と、一対の延設部４１の間でそれぞれ対応する延設部４１の上端に取付けられた一対の天板取付け部４２とを有している。天板取付け部４２には、前述の長孔４２ａがそれぞれ形成されている。
垂下部４０の下部には、金属板の端部を後方Ｙ１に折り返したフランジ部４３が形成されている。
【００３０】
図１０に示すように、化粧材受け３９は、前後方向Ｙに直交するように配置された板状の垂下部４５と、垂下部４５の上端部から前後方向Ｙのうち後方Ｙ１とは反対方向の前方Ｙ２に延びる支持部４６と、支持部４６の前方Ｙ２の端部から上方に折り返された受け側係合部４７と、垂下部４５の中央部から前方Ｙ２に突出して互いに左右方向Ｘに並ぶように一対形成された爪部４８とを有している。爪部４８は、本実施形態では垂下部４５の中央部を前方Ｙ２に切り起こして形成されている。
爪部４８の前縁下部には、上方に向かうにしたがって前方Ｙ２に向かうように形成された導入面４８ａが設けられている。垂下部４５の左右方向Ｘの両端部および下方の端部はそれぞれ後方Ｙ１に折返されていて、一対の側方折返し片４９、下方折返し片５０が形成されている。
このように構成された取付け材３８および化粧材受け３９は、たとえば、垂下部４０と垂下部４５、延設部４１と側方折返し片４９、フランジ部４３と下方折返し片５０、を適宜スポット溶接することにより互いに接続されている。
【００３１】
取付けネジ３７は、移動部本体３６の長孔４２ａを挿通した状態で天板２のネジ孔２１ａに螺合することにより、天板２に取付けられている。そして、取付けネジ３７を緩めた状態で、取付けネジ３７に対して移動部本体３６を長孔４２ａが延設された前後方向Ｙにスライドするように移動させることができる。すなわち、移動部本体３６がスライド可能なスライド方向とは、前後方向Ｙとなっている。
【００３２】
図２に示すように、化粧材５は、左右方向Ｘに延びるように形成された正面板５３と、正面板５３の両端部を覆うサイドカバー５４、５５とを有して構成されている（サイドカバー５５は図１４参照）。なお、サイドカバー５５は、サイドカバー５４に対して面対称の形状となっているので説明を省略する。
【００３３】
図１１に示すように、正面板５３は、たとえば樹脂を押出し成形することにより形成されている。正面板５３は、前後方向Ｙに直交するように配置された板状の正面板本体５６と、正面板本体５６の下端部から後方Ｙ１に延びる下方支持部５７と、正面板本体５６の上端部から前方Ｙ２および後方Ｙ１にそれぞれ延びる上方支持部５８とを有している。
下方支持部５７の後方Ｙ１側の端部には、上方に向けて突出した化粧側下方係合部５７ａが設けられている。また、上方支持部５８の前方Ｙ２側、後方Ｙ１側の端部には、下方に向けて突出した化粧側上方突出部５８ａ、化粧側上方係合部５８ｂがそれぞれ設けられている。
【００３４】
図１２に示すよう、サイドカバー５４は、左右方向Ｘに直交する板状に形成されたカバー本体５９と、カバー本体５９から左右方向Ｘのうちの一方側に延びる第一の延在部６０および第二の延在部６１とを有している。
カバー本体５９は、正面板５３の縁部全体を覆うことが可能となるように形成されている。すなわち、カバー本体５９は、正面板本体５６および下方支持部５７の縁部を覆う第一の本体部５９ａと、第一の本体部５９ａから前方Ｙ２側へと延び上方支持部５８の縁部を覆う第二の本体部５９ｂとを有している。カバー本体５９は、第一の本体部５９ａと第二の本体部５９ｂとにより全体として略Ｌ字形に形成されている。カバー本体５９の後方Ｙ１であって上方の部分には、第一の本体部５９ａと第二の本体部５９ｂとが結合することで生じた切欠き部５９ｃが形成されている。
【００３５】
第一の延在部６０は、上方支持部５８および化粧側上方突出部５８ａに対応する側面視でＬ字形に形成されている。第一の延在部６０は、カバー本体５９が正面板５３の縁部に当接した状態で、正面板本体５６と化粧側上方突出部５８ａとの間に、上方支持部５８および化粧側上方突出部５８ａに沿うように配置されている。
また、第二の延在部６１は、正面板本体５６に対応する側面視で直線状に形成されている。第二の延在部６１は、カバー本体５９が正面板５３の縁部に当接した状態で、下方支持部５７と上方支持部５８との間に、正面板本体５６に沿うように配置されている。
【００３６】
カバー本体５９には、正面板５３の左右方向Ｘの縁部の形状に対応した不図示の溝部が形成されていて、この溝部を正面板５３の端部に係合させることにより、図２に示すように、サイドカバー５４を正面板５３に取付けることができる。
【００３７】
なお、図１に示すように、天板２の縁部２ｃに沿って左右方向Ｘに見たときに、化粧材５の前面（前方Ｙ２の面）と、引出し４の前面４ａとが同一形状に形成されている。具体的には、たとえば、左右方向Ｘに見たときに、引出し４の前面４ａが、図１１に示す化粧側上方突出部５８ａの前方Ｙ２の前面５８ｃと同一形状に形成されている。
【００３８】
図１３は、移動部本体３６に化粧材５を装着するときの状態を示している。
図１３に示すように、移動部本体３６の受け側係合部４７に化粧材５の化粧側上方係合部５８ｂを係合させながら、移動部本体３６の爪部４８の導入面４８ａに化粧材５の化粧側下方係合部５７ａを押し付ける。すると、導入面４８ａに沿って正面板５３が変形して化粧材５の化粧側上方係合部５８ｂと化粧側下方係合部５７ａの間隔が開き、図２に示すように爪部４８に化粧側下方係合部５７ａが係合して、図１４に示すように、移動部本体３６に化粧材５が接続される。
このとき、図１３に示すように、化粧材５には切欠き部５９ｃが形成されているので、移動部本体３６に化粧材５を接続するときにサイドカバー５４が移動部本体３６に干渉するのが防止される。
【００３９】
以上のように化粧材５が接続された移動部本体３６を、収納位置Ｐ１に配置された引出し４の前面４ａと化粧材５の前面が略同一面上（「同一面上」も含む）に配置されるように調整し、取付けネジ３７をネジ孔２１ａに締付けた図１および図２に示す化粧材５の位置が閉塞位置Ｐ３である。取付けネジ３７をネジ孔２１ａに取付けたり取外したりすることで、移動機構６は、天板２に対して化粧材５を着脱可能に支持している。
この状態から、取付けネジ３７を回転させて緩めたうえで、図１５に示すように、移動部本体３６を長孔４２ａに沿って後方Ｙ１に退くように移動させ、化粧材５の前面を収納位置Ｐ１に配置された引出し４の前面４ａよりも退行させたときの化粧材５の位置が退避位置Ｐ４である。
化粧材５を退避位置Ｐ４に移動させることで、たとえば、目隠し用として用いられる不図示のサイドスクリーンを固定部材Ｋで天板２の縁部２ｃに取付けることができる。
【００４０】
以上説明したように、本実施形態のネジ座取付け構造３４によれば、ネジ座１８は、裏面板１４の内面１４ｂに当接され、内側Ｄ１から外側Ｄ２への移動が規制されている一方、第二の係止部３２によって外側Ｄ２から内側Ｄ１への移動が規制されている。さらに、ネジ座１８は、裏面板１４の内面１４ｂに当接されることで、開口部２９の縁部２９ａ回り一方側Ｅ１への回転が規制されている一方、第一の係止部３１によって内側Ｄ１から外側Ｄ２への移動が規制されていることで、縁部２９ａ回り他方側Ｅ２への回転が規制されている。このため、ネジ座１８の、裏面板１４の内面１４ｂから離間する方向への移動、開口部２９の縁部２９ａ回りの回転を規制することで、位置ずれすることなく安定してネジ座１８を裏面板１４に取付けることができる。
また、外側Ｄ２から開口部２９を通してネジ座１８にアクセスして前後方向Ｙに第一の係止部３１とネジ座１８との係止関係を解除してからネジ座１８を縁部２９ａ回りに他方側Ｅ２へ回転させることで、本体部１９を第二の係止部３２と縁部２９ａとの間から開口部２９を経由して外側Ｄ２に取外し、ネジ座１８を外側Ｄ２から容易に着脱することができる。
【００４１】
固定部２０における本体部１９に対する反対側の端部には係止爪２４が設けられている。このため、ネジ座１８の本体部１９を第二の係止部３２と開口部２９の縁部２９ａとの間に形成された空間部に挿入し、係止爪２４を本体部１９側に移動させた状態で、固定部２０を縁部２９ａ回り一方側Ｅ１へ回転させて、係止爪２４を開口部２９の第一の係止部３１側の内周面に当接させる。ここから、係止爪２４の外側の端部が開口部２９の内周面の内側の端部に達するまで固定部２９を一方側Ｅ１へさらに回転させるだけで、係止爪２４の弾性力により係止爪２４が本体部１９から離間する方向に移動し、係止爪２４の外側の部分が第一の係止部３１の内面に当接する。
これにより、固定部２０を外側から内面に保持することができる。
【００４２】
さらに、係止爪２４には傾斜面２４ａが設けられている。これにより、ネジ座１８の本体部１９を第二の係止部３２と開口部２９の縁部２９ａとの間に挿入した後で、固定部２０を縁部２９ａ回り一方側Ｅ１へ回転させ傾斜面２４ａを第一の係止部３１に当接させる。この状態で固定部２０を一方側Ｅ１へさらに回転させることで、第一の係止部３１から傾斜面２４ａに作用する力の分力により、係止爪２４を本体部１９側に移動させることができる。
【００４３】
本実施形態では、係止爪２４には、開口部２９の内周面に係止する内周面側係止部２５が設けられている。したがって、内周面側係止部２５が開口部２９の内周面に係止したときに、ネジ座１８が前方Ｙ２側に移動するのを防止することができる。
そして、内周面側係止部２５は、裏面板１４の外面から外側Ｄ２に向けてわずかに突出しているため、裏面板１４の外面と内周面側係止部２５との間に指などをかけることにより、前後方向Ｙに内周面側係止部２５を容易に移動させることができる。
【００４４】
裏面板１４は、左右方向Ｘにネジ座１８が移動するのを規制する規制部３３をさらに備えるため、裏面板１４に対してネジ座１８を前後方向Ｙに安定して移動させることができる。
また、ネジ座１８の本体部１９が、ナット部材２１とネジ座本体２３とを有するため、ネジ座１８を製造するのに要するコストを低減させることができる。
【００４５】
そして、裏面板１４は金属板で形成され、裏面板１４に開口部２９が形成されたときに、第二の係止部３２が裏面板１４の内面１４ｂ側に絞り加工することにより形成されたものとなっている。したがって、裏面板１４に開口部２９および第二の係止部３２を形成するのに要する製造コストを低減させることができる。
【００４６】
（第２実施形態）
次に、本発明の第２実施形態について説明するが、前記実施形態と同一の部位には同一の符号を付してその説明は省略し、異なる点についてのみ説明する。
図１６に示すように、本実施形態のネジ座取付け構造７１は、上記第１実施形態のネジ座取付け構造３４のネジ座１８および湾曲体３０に代えて、ネジ座７２および湾曲体７３を備えている。
図１７に示すように、本実施形態の湾曲体７３の第二の係止部３２には、前後方向Ｙに延びるガイド孔７６が形成されている。
【００４７】
図１６および図１８に示すように、ネジ座７２は、ネジ孔２１ａが形成されるとともに、裏面板１４の内面１４ｂに当接する本体部８０と、本体部８０から裏面板１４の内面１４ｂに沿って前後方向Ｙに延設された固定部８１とを備えている。
本体部８０は、ナット部材２１と、ナット部材２１が収容された嵌合孔８２が上部に形成されたネジ座本体８３とを有している。
ネジ座本体８３の嵌合孔８２の下方には、嵌合孔８２に連通する通し孔８３ａが形成されている。通し孔８３ａの内径は嵌合孔８２の内径よりも小さく設定され、嵌合孔８２と通し孔８３ａとが連通する部分には段部８３ｂが形成されている。
嵌合孔８２の内周面には、ナット部材２１の上面を係止するナット係止爪８４が形成されている。ナット部材２１は、下面は段部８３ｂに当接し、上面はナット係止爪８４に係止されることで、嵌合孔８２内に収容されたナット部材２１が上方に外れ難くなっている。
【００４８】
固定部８１の上面の中央部には上方に向かって延びる略棒状の案内部材８７が設けられている。案内部８７は、湾曲体７３のガイド孔７６を挿通すると同時に、ガイド孔７６内の前方Ｙ２側の端部に配置されている。なお、固定部８１の外面から案内部材８７の上方の端部までの上下方向の長さＬ１（図１６参照）は、第二の係止部３２から開口部２９の縁部２９ａまでの距離よりも長く設定されている。
固定部８１における案内部８７の前方Ｙ２側には、上下方向に貫通する固定部貫通孔８８が形成されている。固定部貫通孔８８の本体部８０側の内周面には前方Ｙ２側に延びる突出部支持体８９が備えられ、突出部支持体８９の上面の前方Ｙ２側の端部には、上方に突出する突出部９０が設けられている。図１９に示すように、突出部９０は、第二の係止部３２の前方Ｙ２側の端部を前方Ｙ２側から後方Ｙ１側に係止している。
図１６に示すように、固定部８１の前方Ｙ２側の端部は、第一の係止部３１により前後方向Ｙに長さＬ２係止されている。
【００４９】
図１８および図２０に示すように、ネジ座７２の下面には、下方に突出した位置決め部９１が設けられている。位置決め部９１の外面は、裏面板１４の外面とほぼ同一面上に配置されている（図１６参照）。位置決め部９１の後方Ｙ１側の端部９１ａは、裏面板１４に対してネジ座７２を、後方Ｙ１側に長さＬ２移動可能とする退避部となるように構成されている。
図２０に示すように、位置決め部９１の端部９１ａの左右方向Ｘの中央部には、指をかけられるように前方Ｙ２側に凹んだ第一の指掛け凹部９２が形成されている。そして、位置決め部９１の前方Ｙ２の端部の左右方向Ｘの中央部には、指をかけられるように後方Ｙ１側に凹んだ第二の指掛け凹部９３が形成されている。
【００５０】
ここで、以上のように構成した裏面板１４にネジ座７２を取付ける手順について説明する。
まず、図２１に示すように、使用者は、裏面板１４の外側Ｄ２からネジ座７２を裏面板１４の開口部２９に近づけ、開口部２９の縁部２９ａと第二の係止部３２との間に形成された空間部にネジ座７２の本体部８０を挿入する。このとき、ネジ座７２の上記の長さＬ１（図１６参照）は第二の係止部３２から開口部２９の縁部２９ａまでの距離よりも長く設定されているので、ネジ座７２が天板２の表面板１３と裏面板１４との間に入り込むことが防止される。
【００５１】
そして、位置決め部９１の端部９１ａを開口部２９の縁部２９ａに当接させた状態で、ネジ座７２の固定部８１を縁部２９ａ回りの一方側Ｅ１へ回転させることで、図２２に示すように、本体部８０が裏面板１４の内面１４ｂに当接すると同時に、固定部８１が第二の係止部３２に当接する。このとき、案内部材８７はガイド孔７６内の後方Ｙ１側の端部に配置される。
続いて、第一の指掛け凹部９２に指をかけてネジ座７２を前方Ｙ２側に移動させると、突出部９０が第二の係止部３２の下面に当接することで突出部支持体８９の前方Ｙ２側が下方に撓む。そして、図１６に示すように、案内部材８７がガイド孔７６内の前方Ｙ２側の縁部に当接したときに、固定部８１の前方Ｙ２側の端部が第一の係止部３１により外側Ｄ２から内側Ｄ１へ係止されるとともに、突出部９０と第二の係止部３２との当接が解除されるので、撓んでいた突出部支持体８９が前方Ｙ２側に延びる当初の形状に戻り、突出部９０が第二の係止部３２の前方Ｙ２側の端部を係止する。
このとき、案内部材８７がガイド孔７６内を前方Ｙ２に移動するので、ネジ座７２を前後方向Ｙに安定して移動させることがきる。
【００５２】
なお、裏面板１４からネジ座７２を取外すときには、使用者は、第二の指掛け凹部９３に指をかけて、ネジ座７２を後方Ｙ１側に移動させることで、固定部８１と第一の係止部３１との係止、および突出部９０と第二の係止部３２との前後方向Ｙの係止が解除される。そして、位置決め部９１の端部９１ａを開口部２９の縁部２９ａに当接させた状態で固定部８１を縁部２９ａ回りに他方側Ｅ２に回転させ、ネジ座７２を第二の係止部３２と開口部２９の縁部２９ａとの間から開口部２９を経て外側Ｄ２に引き抜く。
このように、ネジ座７２を裏面板１４に着脱可能に取付けることができる。
【００５３】
以上説明したように、本実施形態のネジ座取付け構造７１によれば、裏面板１４へネジ座７２の着脱を裏面板１４に対する外側Ｄ２のみから行うとともに、裏面板１４にネジ座７２を取付けたときにネジ座７２が位置ずれするのを防止することができる。
さらに、位置決め部９１の端部９１ａが所定の寸法に設定されているので、長さＬ２だけネジ座７２を裏面板１４に対して前後方向Ｙに移動させることで、固定部８１と第一の係止部３１とを係合させたり、係合を解除させたりすることができる。
【００５４】
以上、本発明の第１実施形態および第２実施形態について図面を参照して詳述したが、具体的な構成はこの実施形態に限られるものではなく、本発明の要旨を逸脱しない範囲の構成の変更等も含まれる。
たとえば、上記第１実施形態および第２実施形態では、ネジ座の嵌合孔にナット部材２１を嵌合させることでネジ座にネジ孔２１ａを形成した。しかし、たとえば、ネジ座全体を鉄鋼などで一体に形成し、ネジ座にネジ孔を設けてもよい。
また、上記第１実施形態および第２実施形態では、取付け板は金属板により形成されているとしたが、樹脂製の板材などで形成してもよい。
【符号の説明】
【００５５】
１４  裏面板（取付け板）
１４ｂ  内面
１８、７２  ネジ座
１９、８０  本体部
２０、８１  固定部
２１  ナット部材
２１ａ  ネジ孔
２２、８２  嵌合孔
２３、８３  ネジ座本体
２４  係止爪
２４ａ  傾斜面
２５  内周面側係止部
２８  ボルト挿通孔
２９  開口部
２９ａ  縁部
３１  第一の係止部
３２  第二の係止部
３３  規制部
３４、７１  ネジ座取付け構造
９１ａ  端部（退避部）
Ｄ１  内側
Ｄ２  外側
【図１】
0005450154.tif 000002
【図２】
0005450154.tif 000003
【図３】
0005450154.tif 000004
【図４】
0005450154.tif 000005
【図５】
0005450154.tif 000006
【図６】
0005450154.tif 000007
【図７】
0005450154.tif 000008
【図８】
0005450154.tif 000009
【図９】
0005450154.tif 000010
【図１０】
0005450154.tif 000011
【図１１】
0005450154.tif 000012
【図１２】
0005450154.tif 000013
【図１３】
0005450154.tif 000014
【図１４】
0005450154.tif 000015
【図１５】
0005450154.tif 000016
【図１６】
0005450154.tif 000017
【図１７】
0005450154.tif 000018
【図１８】
0005450154.tif 000019
【図１９】
0005450154.tif 000020
【図２０】
0005450154.tif 000021
【図２１】
0005450154.tif 000022
【図２２】
0005450154.tif 000023